(57)【要約】      （修正有）【課題】仕切り用シートの面積を小さくし、省資源化を図ることが可能なシートセットを提供する。【解決手段】シートセットは、互いに対向する一対の第１側壁及び一対の第２側壁を有する箱体に組み立てられる箱用シートと、箱体内に配置される仕切りに組み立てられる仕切り用シート２０とを備え、仕切り用シートが、物品を収容可能な開口３０を有し、箱体の底部と間隔を空けて底部と平行に配置される本体２１と、開口を画定する本体の内周縁から延出し、本体を底部から離間して保持するよう下方に折り曲げられる複数の脚片２２、２３とを有し、組み立て前の展開状態における仕切り用シート全体が、平面視で底部に包含される大きさを有する。【選択図】図２
0003233332.tif 000002
【実用新案登録請求の範囲】
【請求項１】
互いに対向する一対の第１側壁及び一対の第２側壁を有する箱体に組み立てられる箱用シートと、
上記箱体内に配置される仕切りに組み立てられる仕切り用シートと
を備え、
上記仕切り用シートが、
物品を収容可能な開口を有し、上記箱体の底部と間隔を空けて上記底部と平行に配置される本体と、
上記開口を画定する上記本体の内周縁から延出し、上記本体を上記底部から離間して保持するよう下方に折り曲げられる複数の脚片と
を有し、
組み立て前の展開状態における上記仕切り用シート全体が、平面視で上記底部に包含される大きさを有するシートセット。
【請求項２】
上記本体が、上記一対の第１側壁の内面に沿って配置される一対の第１辺と、上記一対の第２側壁の内面に沿って配置される一対の第２辺とを有しており、
上記第１辺及び上記第２辺が、上記仕切り用シートの外縁を構成している請求項１に記載のシートセット。
【請求項３】
上記脚片が、下方に折り曲げられて上記開口に収容される物品を側方から支持する第１折曲部と、上記第１折曲部の先端縁から延出し、上記底部の内面に折り重ねられる第２折曲部とを有する請求項１又は請求項２に記載のシートセット。
【請求項４】
上記開口が略矩形状であり、上記開口の対向する一対の側縁からそれぞれ上記脚片が延出している請求項１、請求項２又は請求項３に記載のシートセット。
【請求項５】
上記仕切り用シートが、上記本体の内周縁から延出し、下方に折り曲げられる支持片をさらに有する請求項１から請求項４のいずれか１項に記載のシートセット。
【考案の詳細な説明】
【技術分野】
【０００１】
本考案は、シートセットに関する。
【背景技術】
【０００２】
段ボールシート等から組み立てられる箱体が、物品の保管、運搬等に用いられている。この箱体の内部には、物品を安定的に保持できるよう仕切りが配置されることがある。箱体内に配置される仕切りとしては、物品を収容するための開口を有し、箱体の底部と間隔を空けてこの底部と平行に配置される本体を備えるものが公知である（特開２０１９−１０４５０６号公報参照）。
【先行技術文献】
【特許文献】
【０００３】
【特許文献１】特開２０１９−１０４５０６号公報
【考案の概要】
【考案が解決しようとする課題】
【０００４】
上記仕切りは、段ボールシート等からなる仕切り用シートから組み立てられる。この仕切り用シートは、箱体の底部から本体を離間して保持するための脚片を有している。特許文献１に記載されているように、この脚片は、通常本体の外周縁から延出して設けられている。
【０００５】
この仕切り用シートは、脚片を有することに起因して展開状態におけるシート面積が大きくなる。そのため、この仕切り用シートは、シート材の使用面積を小さくする観点でさらなる改良の余地がある。
【０００６】
本考案は、このような事情に基づいてなされたものであり、仕切り用シートの面積を小さくし、省資源化を図ることが可能なシートセットを提供することを目的とする。
【課題を解決するための手段】
【０００７】
本考案の一態様に係るシートセットは、互いに対向する一対の第１側壁及び一対の第２側壁を有する箱体に組み立てられる箱用シートと、上記箱体内に配置される仕切りに組み立てられる仕切り用シートとを備え、上記仕切り用シートが、物品を収容可能な開口を有し、上記箱体の底部と間隔を空けて上記底部と平行に配置される本体と、上記開口を画定する上記本体の内周縁から延出し、上記本体を上記底部から離間して保持するよう下方に折り曲げられる複数の脚片とを有し、組み立て前の展開状態における上記仕切り用シート全体が、平面視で上記底部に包含される大きさを有する。
【考案の効果】
【０００８】
本考案の一態様に係るシートセットは、仕切り用シートの面積を小さくし、省資源化を図ることができる。
【図面の簡単な説明】
【０００９】
【図１】図１は、本考案の一実施形態に係るシートセットを構成する箱用シートを示す模式的平面図である。
【図２】図２は、本考案の一実施形態に係るシートセットを構成する仕切り用シートを示す模式的平面図である。
【図３】図３は、図１及び図２のシートセットを組み立ててなる仕切り付き箱体を示す模式的斜視図である。
【図４】図４は、図３の仕切り付き箱体のＩＶ−ＩＶ線断面図である。
【図５】図５は、図４の仕切り付き箱体のＶ−Ｖ線断面図である。
【考案を実施するための形態】
【００１０】
［本考案の実施形態の説明］
最初に本考案の実施態様を列記して説明する。
【００１１】
本考案の一態様に係るシートセットは、互いに対向する一対の第１側壁及び一対の第２側壁を有する箱体に組み立てられる箱用シートと、上記箱体内に配置される仕切りに組み立てられる仕切り用シートとを備え、上記仕切り用シートが、物品を収容可能な開口を有し、上記箱体の底部と間隔を空けて上記底部と平行に配置される本体と、上記開口を画定する上記本体の内周縁から延出し、上記本体を上記底部から離間して保持するよう下方に折り曲げられる複数の脚片とを有し、組み立て前の展開状態における上記仕切り用シート全体が、平面視で上記底部に包含される大きさを有する。
【００１２】
当該シートセットは、上記仕切り用シートが、上記本体の内周縁から延出する複数の脚片を有することで、上記本体を箱体の底部から離間して保持することができる。そのため、上記仕切り用シートは、脚片を設けることに起因してシート材（シート原紙）の使用面積を大きくしなくてもよい。これにより、上記仕切り用シートは、組み立て前の展開状態で、平面視で箱体の底部に包含される大きさとすることができる。従って、当該シートセットは、仕切り用シートの面積を小さくし、省資源化を図ることができる。
【００１３】
上記本体が、上記一対の第１側壁の内面に沿って配置される一対の第１辺と、上記一対の第２側壁の内面に沿って配置される一対の第２辺とを有しており、上記第１辺及び上記第２辺が、上記仕切り用シートの外縁を構成しているとよい。このように、上記本体が、上記一対の第１側壁の内面に沿って配置される一対の第１辺と、上記一対の第２側壁の内面に沿って配置される一対の第２辺とを有しており、上記第１辺及び上記第２辺が、上記仕切り用シートの外縁を構成していることによって、上記仕切り用シートの面積を小さくしつつ、この仕切りシートを組み立ててなる仕切りを箱体内に安定的に配置することができる。
【００１４】
上記脚片が、下方に折り曲げられて上記開口に収容される物品を側方から支持する第１折曲部と、上記第１折曲部の先端縁から延出し、上記底部の内面に折り重ねられる第２折曲部とを有するとよい。このように、上記脚片が、下方に折り曲げられて上記開口に収容される物品を側方から支持する第１折曲部と、上記第１折曲部の先端縁から延出し、上記底部の内面に折り重ねられる第２折曲部とを有することによって、上記本体を箱体の底部から離間した状態で容易かつ確実に保持することができる。
【００１５】
上記開口が略矩形状であり、上記開口の対向する一対の側縁からそれぞれ上記脚片が延出しているとよい。このように、上記開口が略矩形状であり、上記開口の対向する一対の側縁からそれぞれ上記脚片が延出していることで、上記本体を箱体の底部から離間した状態で容易かつ確実に保持することができる。
【００１６】
上記仕切り用シートが、上記本体の内周縁から延出し、下方に折り曲げられる支持片をさらに有するとよい。このように、上記仕切り用シートが、上記本体の内周縁から延出し、下方に折り曲げられる支持片をさらに有することによって、上記開口に上記物品をより安定的に収容することができる。
【００１７】
なお、本考案において、「下」とは、箱用シートを組み立ててなる箱体において想定される一般的な使用態様における下を意味する。「内」とは、箱用シートを組み立ててなる箱体における内を意味する。「略矩形状」とは、完全な矩形に限定されず、例えば部分的に凹凸や段差が設けられている形状や、角部が面取りされている形状を含む。
【００１８】
［本考案の実施形態の詳細］
以下、適宜図面を参照しつつ、本考案の実施の形態を詳説する。
【００１９】
［シートセット］
図１及び図２のシートセットは、互いに対向する一対の第１側壁及び一対の第２側壁を有する箱体に組み立てられる箱用シート１０と、上記箱体内に配置される仕切りに組み立てられる仕切り用シート２０とを備える。
【００２０】
箱用シート１０及び仕切り用シート２０は、それぞれ１枚のシート体である。箱用シート１０及び仕切り用シート２０に用いられるシート材としては、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。上記段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２１】
＜箱用シート＞
箱用シート１０の具体的な構成としては、特に限定されるものではなく、図１ではＡ式の箱体に組み立て可能なシートを図示している。図１の箱用シート１０は、左右方向に交互に連接される一対の第１側面パネル１ａ、１ｂ及び一対の第２側面パネル２ａ、２ｂと、一対の第１側面パネル１ａ、１ｂの上縁から延出する一対の蓋外フラップ３ａ、３ｂと、一対の第２側面パネル２ａ、２ｂの上縁から延出する蓋内フラップ４ａ、４ｂと、一対の第１側面パネル１ａ、１ｂの下縁から延出する一対の底外フラップ５ａ、５ｂと、一対の第２側面パネル２ａ、２ｂの下縁から延出する一対の底内フラップ６ａ、６ｂと、一対の第１側面パネル１ａ、１ｂのうち、左右方向外側（図１では左右方向左側）に位置する第１側面パネル１ａの左右方向外側の側縁から延出する糊代７とを備える。なお、本明細書において、「左右方向」とは、箱用シートを組み立ててなる箱体において想定される一般的な使用態様における水平方向をいい、「上」とは、上記左右方向を基準とする上を意味する。「外」とは、箱用シートを組み立ててなる箱体における外を意味する。また、図１及び図２において、太い実線はシートを切断して形成される切断線を示し、細い実線はシートの片面を筋押しして形成される罫線を示す。
【００２２】
箱用シート１０は、図３から図５に示す箱体４０に組み立てられる。箱用シート１０を箱体４０に組み立てるに当たっては、まず、左右方向外側（図１では左右方向左側）に位置する第１側面パネル１ａをこの第１側面パネル１ａに連接される第２側面パネル２ａの内面に折り重ね、左右方向外側（図１では左右方向右側）に位置する第２側面パネル２ｂをこの第２側面パネル２ｂに連接される第１側面パネル１ｂの内面に折り重ね、糊代７を折り重ねられた第２側面パネル２ｂの内面に貼着する。続いて、無端状に接続された一対の第１側面パネル１ａ、１ｂ及び一対の第２側面パネル２ａ、２ｂを四角筒状に広げて箱体４０の側壁を形成する。図３から図５では、第１側面パネル１ａ、１ｂが箱体４０の第１側壁４１ａ、４１ｂを構成し、第２側面パネル２ａ、２ｂが箱体４０の第２側壁４２ａ、４２ｂを構成している。続いて、一対の底内フラップ６ａ、６ｂを内側に折り曲げ、さらに一対の底外フラップ５ａ、５ｂを内側に折り曲げて先端縁同士を突き合わせる。次に、一対の底外フラップ５ａ、５ｂの先端縁同士の合わせ目に封函テープＸを貼着することで箱体４０の底部４３を組み立てる。箱体４０の蓋部については、底部４３と同様の手順で組み立てることができる。
【００２３】
一対の第１側面パネル１ａ、１ｂ同士は略同形状に形成されている。また、一対の第２側面パネル２ａ、２ｂ同士は略同形状に形成されている。第１側面パネル１ａ、１ｂの左右方向長さは、第２側面パネル２ａ、２ｂの左右方向長さよりも大きくてもよい。この場合、第１側面パネル１ａ、１ｂは、箱体４０の長さ面を構成する長さ面パネルとして設けられ、第２側面パネル２ａ、２ｂは、箱体４０の幅面を構成する幅面パネルとして設けられる。第１側面パネル１ａ、１ｂ及び第２側面パネル２ａ、２ｂの上下方向長さは略等しい。
【００２４】
＜仕切り用シート＞
図２の仕切り用シート２０は、図３から図５の仕切り５０に組み立てられる。仕切り用シート２０は、物品Ｐ１、Ｐ２を収容可能な開口３０を有し、箱体４０の底部４３と間隔を空けて底部４３と平行に配置される本体２１と、開口３０を画定する本体２１の内周縁から延出し、本体２１を底部４３から離間して保持するように下方に折り曲げられる一対の脚片（第１脚片２２及び第２脚片２３）とを有する。また、仕切り用シート２０は、本体２１の内周縁から延出し、下方に折り曲げられる一対の支持片２４ａ、２４ｂを有する。組立前の展開状態（図２の状態）における仕切り用シート２０全体は、平面視で箱体４０の底部４３に包含される大きさを有する。
【００２５】
（本体）
本体２１は、内部に開口３０を有する略矩形状である。本体２１は、一対の第１側壁４１ａ、４１ｂの内面に沿って配置される一対の第１辺３１ａ、３１ｂと、一対の第２側壁４２ａ、４２ｂの内面に沿って配置される一対の第２辺３２ａ、３２ｂとを有する。本体２１の第１辺３１ａ、３１ｂに沿う方向の長さＬ１は、第１側壁４１ａ、４１ｂの左右方向長さと略等しい。また、本体２１の第２辺３２ａ、３２ｂに沿う方向の長さＬ２は、第２側壁４２ａ、４２ｂの左右方向長さと略等しい。第１側壁４１ａ、４１ｂの左右方向長さ（すなわち、第１側面パネル１ａ、１ｂの左右方向長さ）と本体２１の第１辺３１ａ、３１ｂに沿う方向の長さＬ１との差の上限としては、１０ｍｍが好ましく、５ｍｍがより好ましい。また、第２側壁４２ａ、４２ｂの左右方向長さ（すなわち、第２側面パネル２ａ、２ｂの左右方向長さ）と本体２１の第２辺３２ａ、３２ｂに沿う方向の長さＬ２との差の上限としては、１０ｍｍが好ましく、５ｍｍがより好ましい。
【００２６】
第１辺３１ａ、３１ｂ及び第２辺３２ａ、３２ｂは、仕切り用シート２０の外縁を構成している。つまり、第１辺３１ａ、３１ｂ及び第２辺３２ａ、３２ｂからは、脚片等の接続片は延出していない。仕切り用シート２０は、第１辺３１ａ、３１ｂ及び第２辺３２ａ、３２ｂが全体の外縁に位置していることで、シート材（シート原紙）の使用面積を小さくすることができる。すなわち、仕切り用シート２０は、本体２１を箱体４０の底部４３から離間して保持するための脚片２２、２３が本体２１の内周縁から延出しているので、シート材の使用面積を本体２１の外縁の面積に一致させることができる。その結果、仕切り用シート２０を製造するに当たってのシート材の使用面積を底部４３の面積以下に抑えることができる。また、一対の第１辺３１ａ、３１ｂが一対の第１側壁４１ａ、４１ｂの内面に沿って配置され、一対の第２辺３２ａ、３２ｂが一対の第２側壁４２ａ、４２ｂの内面に沿って配置されることで、箱体４０内に仕切り５０を安定的に配置することができる。
【００２７】
（開口）
開口３０は、略矩形状である。開口３０は、第１辺３１ａ、３１ｂと内外方向に対向する第１側縁３３ａ、３３ｂと、第２辺３２ａ、３２ｂと内外方向に対向する第２側縁３４ａ、３４ｂとを有する。
【００２８】
（脚片）
脚片２２、２３は、下方に折り曲げられて開口３０に収容される物品Ｐ１、Ｐ２を側方から支持する第１折曲部２２ａ、２３ａと、第１折曲部２２ａ、２３ａの先端縁から延出し、底部４３の内面に折り重ねられる第２折曲部２２ｂ、２３ｂとを有する。図３に示すように、第２折曲部２２ｂ、２３ｂは、箱体４０内で、物品Ｐ１、Ｐ２と底部４３とに挟まれて保持される。仕切り用シート２０は、第１折曲部２２ａ、２３ａと第２折曲部２２ｂ、２３ｂとを有することで、本体２１を箱体４０の底部４３から離間した状態で容易かつ確実に保持することができる。
【００２９】
脚片２２、２３は、開口３０の対向する一対の側縁（第２側縁３４ａ、３４ｂ）からそれぞれ延出している。この構成によると、一対の脚片２２、２３によって本体２１を箱体４０の底部４３から離間した状態で容易かつ確実に保持することができる。
【００３０】
第１脚片２２の第１折曲部２２ａは、２つの部分に分断されている。また、分断された各部分の基端縁（本体２１に接続される側の端縁）は、段差をもって配置されている。第１折曲部２２ａがこのように構成されることで、箱体４０内に仕切り５０が配置された状態で、第１脚片２２の第１折曲部２２ａと第２脚片２３の第１折曲部２３ａとの間隔を部分毎に調整することができる。その結果、異なるサイズの物品Ｐ１、Ｐ２を開口３０に安定的に収容することができる。
【００３１】
（支持片）
支持片２４ａ、２４ｂは、下方に折り曲げられることで、物品Ｐ１、Ｐ２を側方から支持する。支持片２４ａ、２４ｂは、開口３０の側縁のうち、脚片２２、２３が延出している側縁（第２側縁３４ａ、３４ｂ）以外の側縁（第１側縁３３ａ、３３ｂ）から延出している。支持片２４ａ、２４ｂの延出方向長さは、第１折曲部２２ａ、２３ａの延出方向長さよりも短い。仕切り用シート２０は、支持片２４ａ、２４ｂの延出方向長さを短くすることで、脚片２２、２３を十分な大きさに形成しやすい。仕切り用シート２０は、支持片２４ａ、２４ｂを有することで、開口３０に物品Ｐ１、Ｐ２をより安定的に収容することができる。
【００３２】
＜利点＞
当該シートセットは、仕切り用シート２０が、本体２１の内周縁から延出する一対の脚片２２、２３を有することで、本体２１を箱体４０の底部４３から離間して保持することができる。そのため、仕切り用シート２０は、脚片２２、２３を設けることに起因してシート材の使用面積を大きくしなくてもよい。これにより、仕切り用シート２０は、組み立て前の展開状態で、平面視で箱体４０の底部４３に包含される大きさとすることができる。従って、当該シートセットは、仕切り用シート２０の面積を小さくし、省資源化を図ることができる。
【００３３】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３４】
上記実施形態では、Ａ式の箱体に組み立てられる箱用シートを例示した。但し、箱用シートの具体的な構成は、対向する一対の第１側壁及び対向する一対の第２側壁を有する箱体に組み立て可能である限り特に限定されるものではない。例えば箱用シートは、上記一対の第１側壁及び上記一対の第２側壁に加えて他の側壁を有する箱体に組み立てられるように構成されていてもよい。
【００３５】
上記実施形態では、仕切り用シートの本体の内周縁から一対の脚片が延出する構成について説明した。但し、上記仕切り用シートは、本体の内周縁から３以上の脚片が延出するように構成されていてもよい。
【００３６】
上記本体の平面視における外形は特に限定されるものではない。例えば上記本体の外縁は円形であってもよく、三角形であってもよく、五角形以上の多角形であってもよい。但し、このような構成においても、シート材の使用面積を小さくする観点からは、本体の外縁からは脚片等の接続片は延出していないことが好ましい。
【００３７】
上記脚片は、上述の第２折曲部を有しない構成とすることも可能である。また、上記脚片は、上記第１折曲部及び上記第２折曲部以外の折曲部を有する構成とすることも可能である。
【００３８】
上記開口の具体的な形状は、箱体内に収容する物品の形状等に基づいて適宜設定可能である。但し、上記開口は、互いに対向し、それぞれ上記脚片が延出する一対の側縁を有していることが好ましい。
【００３９】
上記仕切り用シートは、上述の支持片を有しない構成とすることも可能である。
【産業上の利用可能性】
【００４０】
以上のように、本考案の一態様に係るシートセットは、仕切り用シートの面積を小さくし、省資源化を図ることができる。
【符号の説明】
【００４１】
１ａ、１ｂ  第１側面パネル
２ａ、２ｂ  第２側面パネル
３ａ、３ｂ  蓋外フラップ
４ａ、４ｂ  蓋内フラップ
５ａ、５ｂ  底外フラップ
６ａ、６ｂ  底内フラップ
７  糊代
１０  箱用シート
２０  仕切り用シート
２１  本体
２２  第１脚片
２２ａ  第１折曲部
２２ｂ  第２折曲部
２３  第２脚片
２３ａ  第１折曲部
２３ｂ  第２折曲部
２４ａ、２４ｂ  支持片
３０  開口
３１ａ、３１ｂ  第１辺
３２ａ、３２ｂ  第２辺
３３ａ、３３ｂ  第１側縁
３４ａ、３４ｂ  第２側縁
４０  箱体
４１ａ、４１ｂ  第１側壁
４２ａ、４２ｂ  第２側壁
４３  底部
５０  仕切り
Ｌ１  本体の第１辺に沿う方向の長さ
Ｌ２  本体の第２辺に沿う方向の長さ
Ｐ１、Ｐ２  物品
Ｘ  封函テープ
【図１】
0003233332.tif 000003
【図２】
0003233332.tif 000004
【図３】
0003233332.tif 000005
【図４】
0003233332.tif 000006
【図５】
0003233332.tif 000007